(57)【要約】【課題】施工現場において仮設シートを高所に取り付けるための仮設シート取付け部品を、脚立等を使用することなく、高い施工安全性の下で高所の被係止部に係止することのできる仮設シート取付け部品用補助具を提供すること。【解決手段】仮設シートを高所に取付けるための仮設シート取付け部品を、高所にある被係止部に係止する際に用いられる、仮設シート取付け部品用補助具４０であって、仮設シート取付け部品５０は、被係止部に係止される第一フック５１と、仮設シートが取付けられる第二フック５２とを少なくとも有し、仮設シート取付け部品用補助具４０は、第一軸材１０と、第一軸材１０に対して所定角度θ１で固定され、先端に仮設シート取付け部品５０を載置する載置部３０を備えている第二軸材２０と、を有する。【選択図】図１
2020051098.tif 000002
【特許請求の範囲】
【請求項１】
仮設シートを高所に取付けるための仮設シート取付け部品を、高所にある被係止部に係止する際に用いられる、仮設シート取付け部品用補助具であって、
前記仮設シート取付け部品は、前記被係止部に係止される第一フックと、前記仮設シートが取付けられる第二フックと、を少なくとも有し、
前記仮設シート取付け部品用補助具は、
第一軸材と、
前記第一軸材に対して所定角度で固定され、先端に前記仮設シート取付け部品を載置する載置部を備えている第二軸材と、を有することを特徴とする、仮設シート取付け部品用補助具。
【請求項２】
前記載置部が、前記第二軸材の軸方向に沿って正面から見た形状がＶ字状の先端領域を有することを特徴とする、請求項１に記載の仮設シート取付け部品用補助具。
【請求項３】
前記載置部が、前記先端領域の反対側に根元領域を有し、該根元領域において、前記仮設シート取付け部品の一部を係合させる鍵状係合片を有することを特徴とする、請求項２に記載の仮設シート取付け部品用補助具。
【請求項４】
前記第一軸材が伸縮自在であり、
前記第一軸材に対して前記第二軸材が回動自在であることを特徴とする、請求項１乃至３のいずれか一項に記載の仮設シート取付け部品用補助具。
【請求項５】
前記仮設シートが養生シートであり、
前記仮設シート取付け部品は、前記第一フックが前記被係止部となる建物躯体に係止され、前記第二フックはその一端が前記第一フックに回動自在に係合し、他端に前記養生シートが取付けられるようになっており、
前記第二フックに対して前記第一フックが所定角度を保持した状態で、前記仮設シート取付け部品が前記載置部に載置されることを特徴とする、請求項１乃至４のいずれか一項に記載の仮設シート取付け部品用補助具。
【請求項６】
前記仮設シートが安全ネットであり、
前記仮設シート取付け部品は、前記第一フックと前記第二フックを両端に備えた軸部材により形成され、
前記第二フックを前記鍵状係合片に係合させながら前記軸部材が前記載置部に載置されることを特徴とする、請求項３又は請求項３に従属する請求項４に記載の仮設シート取付け部品用補助具。
【発明の詳細な説明】
【技術分野】
【０００１】
本発明は、仮設シート取付け部品用補助具に関する。
【背景技術】
【０００２】
建物の施工現場では様々な仮設シートによる養生が行われている。まず、雨養生に関して言及すると、雨養生は一般に、例えば市販の養生シート（仮設シートの一例）を被養生箇所の上から覆い、紐やゴムバンド等を介して建物躯体や建物躯体側方の仮設足場等に仮固定する方法により、行われている（例えば、特許文献１参照）。
【先行技術文献】
【特許文献】
【０００３】
【特許文献１】特開２００９−６８２８８号公報
【発明の概要】
【発明が解決しようとする課題】
【０００４】
ところで、建物の途中階に配置され、主棟の構面から持出されているバルコニー等の持出し部には、防水工事前の雨養生が要求される。この持出し部は、主棟に対する出幅の大小や屋根形状（寄棟、切妻、陸屋根、片流れ等）、さらには軒側とケラバ側のいずれに位置しているか等により、養生の難易度が異なってくる。例えば陸屋根や片流れ屋根の建物の側方にある持出し部やケラバ側にある持出し部に養生シートを張設する場合は、主棟における養生シートの固定位置が定まり難く、一般に養生が困難になり易い。そのため、例えば持出し部の施工途中に養生シートを張設する場合でも、この養生シートに対して適切な水勾配を取ることが難しい場合があり、また、養生シートを弛み易い態様で張設せざるを得ない場合が生じ得る。
【０００５】
このように養生シートが弛んでしまうと、養生シート上への雨水の滞留や、滞留した雨水の重量等に起因する養生シートの破れの恐れがあり、さらには、養生シート上に雨水が滞留することに起因して、屋外への雨水の排水不良が生じ易くなる。そして、これらの要因が重なると、養生シート直下にあって未だ防水施工が施されていない持出し部の床や、持出し部の下階の室内に対して雨漏れが発生し得る。尚、上記する特許文献１に記載の雨天養生システムは、例えば屋根全体を覆うシステムであり、バルコニー等の持出し部を確実かつ排水性良好に養生できるシステムとは言い難い。
【０００６】
一方、仮設シートを用いた他の養生として、安全ネット（仮設シートの一例）を用いた養生がある。安全ネットは、例えば床が敷設される前の梁組の直下に配設され、梁組の下方に資材が落下したり作業員が転落するのを防止するための養生である。この安全ネットは、例えばＨ形鋼により形成される複数の梁の下方フランジに開設されているそれぞれのボルト孔等に対し、安全ネットの端部に取り付けられている複数の専用のフックを順次引っ掛けていくことにより、複数の梁に対して安全ネットが張設されてその取り付けが行われる。
【０００７】
上記する養生シートを、建物の主棟を構成する例えばＨ形鋼や溝形鋼等からなる軒桁や母屋等に取り付ける場合、バルコニー床梁等に脚立を設置し、作業員が脚立の上から養生シートを係止するフックを軒桁や母屋等に取り付け、取り付けられたフックに養生シートを引っ掛ける方法により、養生シートの敷設が行われている。一方、上記する安全ネットを梁組の下方に取り付ける場合も養生シートの設置の際と同様に、梁組下方の足場等の上に脚立を設置し、安全ネットに既に取り付けられているフックを作業員が脚立の上から梁の下方フランジのボルト孔等に引っ掛ける方法により、安全ネットの敷設が行われている。尚、安全ネットを敷設する場合、既に安全ネットに取り付けられている複数のフックを順次ボルト孔等に引っ掛けていくことから、フックを引っ掛ける過程で徐々に安全ネットに張力が付与されることとなり、この張力に抗するようにしてフックを引っ掛ける作業は容易でない。
【０００８】
このように、養生シートや安全ネット等の仮設シートを施工現場の高所に敷設する際には、脚立等に載った状態での取り付け作業を要することから、施工安全性に関する課題を内包している。
【０００９】
本発明は上記する問題に鑑みてなされたものであり、施工現場において仮設シートを高所に取り付けるための仮設シート取付け部品を、脚立等を使用することなく、高い施工安全性の下で高所の被係止部に係止することのできる仮設シート取付け部品用補助具を提供することを目的としている。
【課題を解決するための手段】
【００１０】
前記目的を達成すべく、本発明による仮設シート取付け部品用補助具の一態様は、
仮設シートを高所に取付けるための仮設シート取付け部品を、高所にある被係止部に係止する際に用いられる、仮設シート取付け部品用補助具であって、
前記仮設シート取付け部品は、前記被係止部に係止される第一フックと、前記仮設シートが取付けられる第二フックと、を少なくとも有し、
前記仮設シート取付け部品用補助具は、
第一軸材と、
前記第一軸材に対して所定角度で固定され、先端に前記仮設シート取付け部品を載置する載置部を備えている第二軸材と、を有することを特徴とする。
【００１１】
本態様によれば、第一軸材と、第一軸材に対して所定角度で固定され、先端に仮設シート取付け部品を載置する載置部を備えている第二軸材と、を有する仮設シート取付け部品用補助具（以下、単に「補助具」という場合もある）を使用することにより、脚立等を用いることなく、従って高い施工安全性の下で高所に仮設シート取付け部品を取り付けることができる。ここで、「高所」とは、軒桁やその周辺等の主棟の屋根に近い場所や、梁組が施工されている２階以上の床レベルを含んでおり、一般に脚立等を用いることによりその場所まで人手が届くことを可能にした場所のことである。本態様の補助具の補助対象である仮設シート取付け部品は、被係止部に係止される第一フックと、仮設シートが取付けられる第二フックとを有している。例えば、第一フックと第二フックが別部材であり、双方の端部同士が回動自在に係合している形態や、一つの部材の一端が第一フックであり、他端が第二フックである形態などがある。従って、前者の場合は、第一フックと第二フックの二部材から構成され、第一フックと第二フックがいずれも、それらの一端には他方のフックと係合する係合部を有し、それらの他端には被係止部に係止される係止部や仮設シートが係止される係止部を有する。また、第一フックと第二フックはいずれも、金属部品であってもよいし、ある程度の硬度を有する樹脂部品であってもよい。また、仮設シートには、既述するように養生シートと安全ネットが含まれる。
【００１２】
第一軸材に対して第二軸材は所定角度で固定されているが、この所定角度は、第一軸材と第二軸材の中心角が例えば９０度以上で１８０度未満の傾斜した角度の他、第一軸材と第二軸材が直線状にある１８０度の角度を含んでいる。ただし、好ましくは、第一軸材と第二軸材の中心角度が１２０度程度の傾斜した角度で双方が固定されていることにより、高所にある被係止部に対して、可及的に少ない把持力にて補助具を把持してアクセスさせながら、第二軸材の先端の載置部に載置されている仮設シート取付け部品を被係止部に係止させることが可能になる。
【００１３】
また、本発明による仮設シート取付け部品用補助具の他の態様において、前記載置部が、前記第二軸材の軸方向に沿って正面から見た形状がＶ字状の先端領域を有することを特徴とする。
【００１４】
本態様によれば、載置部がＶ字状の先端領域を有することにより、仮設シート取付け部品を載置部の上方から落とし込むことで仮設シート取付け部品を容易に載置することができる。さらに、仮設シート取付け部品を被係止部に係止させた後、載置部が仮設シート取付け部品から離れるように補助具を下方に移動させることにより、仮設シート取付け部品から補助具を容易に取り外すことができる。
【００１５】
また、本発明による仮設シート取付け部品用補助具の他の態様において、前記載置部が、前記先端領域の反対側に根元領域を有し、該根元領域において、前記仮設シート取付け部品の一部を係合させる鍵状係合片を有することを特徴とする。
【００１６】
本態様によれば、例えば仮設シートが安全ネットの場合に、安全ネットに張力が作用した状態で、仮設シート取付け部品を梁の下方フランジのボルト孔等に係止させる必要があるが、載置部の根元領域にある鍵状係合片に仮設シート取付け部品の一部を係合させることにより、作用する張力によって仮設シート取付け部品が補助具から係脱することを防止することができる。
【００１７】
また、本発明による仮設シート取付け部品用補助具の他の態様において、前記第一軸材が伸縮自在であり、
前記第一軸材に対して前記第二軸材が回動自在であることを特徴とする。
【００１８】
本態様によれば、伸縮自在である第一軸材により、補助具の長さを被係止部までの高さに応じて所望に調整することができる。また、第一軸材に対して第二軸材が回動自在であることにより、作業員が補助具を把持した際に可及的に少ない力で把持できる角度にて、双方の軸部材を調整することができる。
【００１９】
また、本発明による仮設シート取付け部品用補助具の他の態様において、前記仮設シートが養生シートであり、
前記仮設シート取付け部品は、前記第一フックが前記被係止部となる建物躯体に係止され、前記第二フックはその一端が前記第一フックに回動自在に係合し、他端に前記養生シートが取付けられるようになっており、
前記第二フックに対して前記第一フックが所定角度を保持した状態で、前記仮設シート取付け部品が前記載置部に載置されることを特徴とする。
【００２０】
本態様によれば、第二フックに対して第一フックが所定角度を保持した状態で、仮設シート取付け部品が載置部に載置されることにより、第二フックに対して第一フックが完全に首折れすることを抑止しながら、建物躯体の一部に第一フックを係止させることができ、第二フックに対して養生シートを取付けることができる。そして、このように第二フックに取付けられた養生シートを張設した状態にて、建物躯体の他の箇所や建物躯体の側方に建て付けられている仮設足場の一部等に固定することができる。
【００２１】
ここで、第一フックが係止される「建物躯体」とは、建物躯体を形成する軒桁や柱、横下地材のほか、屋根の垂木や束材などが含まれる。例えば、主棟の外壁パネルが取付けられ、バルコニーの骨格が形成されるものの、その防水施工が未だ行われていない段階では、一時的にバルコニーを養生シートにて養生することが必要になる。この際、養生シート取付け部品を形成する第二フックに対して第一フックが所定角度を保持した状態で、載置部に載置することができる。ここで、「所定角度」とは、第一フックの軸線と第二フックの軸線の中心角が９０度程度から１８０度程度（１８０度の場合は双方のフックが直線状にある）の範囲にあることを意味しており、例えば１５０度程度の若干傾斜した角度が好適である。このように第二フックに対して第一フックが所定角度を保持しながら、養生シート取付け部品を例えば外壁パネルの上方から主棟の内側へ挿入することが可能になる。第二フックに対して第一フックが所定角度を保持した状態で主棟の内側へ養生シート取付け部品が挿入されることにより、軒桁等に対して第一フックを引っ掛け易くできる。軒桁等に第一フックを引っ掛け、第二フックに養生シートを取付けて張設することにより、養生シートの一端を建物躯体へ容易に取付けることができる。尚、第二フックに養生シートを取付けた状態で養生シート取付け部品を主棟の内部に挿入し、第一フックを軒桁等に係止させてもよい。
【００２２】
また、本発明による仮設シート取付け部品用補助具の他の態様において、前記仮設シートが安全ネットであり、
前記仮設シート取付け部品は、前記第一フックと前記第二フックを両端に備えた軸部材により形成され、
前記第二フックを前記鍵状係合片に係合させながら前記軸部材が前記載置部に載置されることを特徴とする。
【００２３】
本態様によれば、安全ネットに張力が作用した状態下においても、鍵状係合片に仮設シート取付け部品の第二フックを係合させることにより、作用する張力によって仮設シート取付け部品を補助具から係脱することなく、仮設シート取付け部品の第一フックを被係止部に係止させることができる。
【発明の効果】
【００２４】
以上の説明から理解できるように、本発明の仮設シート取付け部品用補助具によれば、施工現場において仮設シートを高所に取り付けるための仮設シート取付け部品を、脚立等を使用することなく、高い施工安全性の下で高所の被係止部に係止することができる。
【図面の簡単な説明】
【００２５】
【図１】実施形態に係る仮設シート取付け部品用補助具の一例の斜視図である。
【図２】図１のII方向矢視図である。
【図３】実施形態に係る補助具に対して、仮設シート取付け部品の一例である養生シート取付け部品が載置された状態の斜視図である。
【図４】実施形態に係る補助具に対して、仮設シート取付け部品の他例である安全ネット取付け部品が載置された状態の斜視図である。
【図５】養生シート取付け部品を母屋に係止させる方法を説明する工程図である。
【図６】図５に続いて、養生シート取付け部品を母屋に係止させる方法を説明する工程図である。
【図７】図６に続いて、養生シート取付け部品を母屋に係止させる方法を説明する工程図である。
【図８】図７に続いて、養生シート取付け部品を母屋に係止させる方法を説明する工程図である。
【図９】図８に続いて、養生シート取付け部品を母屋に係止させる方法を説明する工程図である。
【図１０】安全ネット取付け部品を上階の床梁に係止させる方法を説明する工程図である。
【図１１】図１０に続いて、安全ネット取付け部品を上階の床梁に係止させる方法を説明する工程図である。
【図１２】図１１に続いて、安全ネット取付け部品を上階の床梁に係止させる方法を説明する工程図である。
【図１３】図１２に続いて、安全ネット取付け部品を上階の床梁に係止させる方法を説明する工程図である。
【発明を実施するための形態】
【００２６】
以下、実施形態に係る仮設シート取付け部品用補助具と、この仮設シート取付け部品用補助具を使用して仮設シート取付け部品を被係止部に係止させる方法について添付の図面を参照しながら説明する。尚、本明細書及び図面において、実質的に同一の構成要素については、同一の符号を付することにより重複した説明を省く場合がある。
【００２７】
［実施形態に係る仮設シート取付け部品用補助具］
はじめに、図１乃至図４を参照して、実施形態に係る仮設シート取付け部品用補助具について説明する。ここで、図１は、実施形態に係る仮設シート取付け部品用補助具の一例の斜視図であり、図２は、図１のII方向矢視図である。
【００２８】
仮設シート取付け部品用補助具４０は、第一軸材１０と、第一軸材１０（の軸心Ｌ１）に対して軸心Ｌ２が所定角度θ１で固定されている第二軸材２０とを有する。
【００２９】
第一軸材１０は柱状本体１１を有し、柱状本体１１の端部にはグリップ１５があり、その途中位置には伸縮部１２を備えており、伸縮部１２を調整することによりその全長をＸ１方向に伸縮自在となっている。例えば、第一軸材１０の全長は、８００ｍｍ乃至２０００ｍｍ程度の範囲で調整自在である。第一軸材１０の上端近傍には、第一軸材１０の側面を挟み込んで第二軸材２０に固定するジョイント１４が取り付けられている。第一軸材１０は可及的に軽量であって、ある程度の剛性を有しており、アルミニウム等の金属製であってもよいし、比較的硬質な樹脂製であってもよい。
【００３０】
第二軸材２０は、断面コの字状の溝状本体２１を有し、溝状本体２１の開口を上方に向けた姿勢で第一軸材１０に所定角度θ１で固定されている。図示例では、第二軸材２０の側面にジョイント１４が固定され、当該側面の側方に第一軸材１０が配設されている。ジョイント１４を介して第一軸材１０に対して第二軸材２０をＸ２方向に回動させ、所望する角度θ１を有する状態でジョイント１４を締め付けることにより補助具４０の姿勢が保持される。このように、補助具４０は、第一軸材１０が伸縮自在であるとともに、第一軸材１０に対して第二軸材２０が回動自在に構成されている。ここで、所定角度θ１は、例えば９０度以上で１８０度未満の傾斜した角度の他、第一軸材１０と第二軸材２０が直線状にある１８０度の角度を含んでいるが、好ましくは、１２０度程度の傾斜した角度に設定されることにより、高所にある被係止部に対して、可及的に少ない把持力にて補助具４０を把持してアクセスさせることができる。
【００３１】
第二軸材２０も第一軸材１０と同様に、アルミニウム等の金属製や比較的硬質な樹脂製の部材である。第二軸材２０において、第一軸材１０に固定される側と反対側に位置する先端には、溝内に載置部３０の一部が嵌め込まれている。
【００３２】
載置部３０は、アルミニウム等の金属素材の金属棒３１を折り曲げ加工することにより、折り曲げ部３１ａを介して二列に加工されており、各列はその途中位置でさらに折り曲げ加工されて山部３１ｃを形成し、各列の先端３１ｂの側面同士が接触するようにして形成されている。また、二列の間には、以下で詳説する安全ネット取付け部品（図４参照）の一部が嵌まり込む隙間３１ｄが設けられている。
【００３３】
図２に示すように、載置部３０は、第二軸材２０の軸心Ｌ２に沿って正面から見た形状がＶ字状の先端領域３２を有している。また、載置部３０は、先端領域３２と反対側に根元領域３３を有し、根元領域３３に鍵状係合片３５を有している。より具体的には、第二軸材２０のうち、根元領域３３に対応する位置には溝状本体２１の側方に張り出すフランジ２２があり、このフランジ２２に鍵状係合片３５の一部が載置され、ボルト等の固定手段３８で固定されている。図１に示すように、鍵状係合片３５は側面視略Ｚ形を呈し、２列の金属棒３１との間に隙間３６を有している。
【００３４】
次に、図３及び図４を参照して、二種類の仮設シート取付け部品が載置部３０に載置された状態、すなわち、補助具４０の使用態様について説明する。ここで、図３は、実施形態に係る補助具に対して、仮設シート取付け部品の一例である養生シート取付け部品が載置された状態の斜視図であり、図４は、実施形態に係る補助具に対して、仮設シート取付け部品の他例である安全ネット取付け部品が載置された状態の斜視図である。
【００３５】
図３に示す養生シート取付け部品５０は、建物躯体に係止される第一フック５１と、一端が第一フック５１に回動自在に係合し、他端に養生シート（図示せず）が取付け自在である第二フック５２とを有する。第一フック５１と第二フック５２はいずれも、金属部材であってもよいし、ある程度の硬度のある樹脂部材であってもよい。
【００３６】
第一フック５１は、二本の直線状の軸部５１ａが折り曲げ回動部５１ｂを介して連続したＶ字状を呈しており、各軸部５１ａの先端において、建物躯体の構成部材に直接係止される係止爪５１ｃを有している。
【００３７】
一方、第二フック５２は、直線状の軸部５２ａと、軸部５２ａの一端において第一フック５１の折り曲げ回動部５１ｂに係合する回動フック部５２ｂと、軸部５２ａの他端において養生シート（図示せず）が取付けられる係止爪５２ｃとを有する。折り曲げ回動部５１ｂと回動フック部５２ｂとが回動自在に係合することにより、回動部５３が形成される。
【００３８】
図３に示すように、第二フック５２の有する係止爪５２ｃが溝状本体２１に収容され、第二フック５２の有する軸部５２ａの途中位置が鍵状係合片３５に係止され、回動部５３が載置部３０の先端領域３２に位置決めされるようにして、養生シート取付け部品５０が補助具４０に載置される。この際、第二フック５２の軸心Ｌ３に対して、第一フック５１の二本の軸部５１ａの中心を通る軸心Ｌ４が完全に首折れすることなく、双方の軸心Ｌ３、Ｌ４の間の中心角が所定角度θ２を保持した状態で載置部３０に載置される。ここで、所定角度θ２は、例えば９０度程度から１８０度程度の範囲であるが、例えば１５０度程度の若干傾斜した角度であると、養生シート取付け部品５０を主棟の内部に挿入して第一フック５１を軒桁等に係止させ易くなる。
【００３９】
載置部３０が正面視Ｖ字状の先端領域３２を有することにより、養生シート取付け部品５０を上方から落とし込むようにして第二フック５２をＶ字状の先端領域３２に容易に収容することができる。
【００４０】
一方、図４に示す安全ネット取付け部品６０は、一本の軸部材の両端が曲げ加工された部品であり、中央の直線部６１と、直線部６１の一端にある第一フック６２と、直線部６１の他端にある第二フック６３とを有する。安全ネット取付け部品６０も養生シート取付け部品５０と同様に、金属部材であってもよいし、ある程度の硬度のある樹脂部材であってもよい。
【００４１】
図４に示すように、直線部６１が載置部３０の先端領域３２に収容され、直線部６１の第二フック６３側の領域が隙間３６を介して金属棒３１の二列の隙間３１ｄに嵌め込まれ、さらに第二フック６３が鍵状係合片３５に係合して、安全ネット取付け部品６０が補助具４０に載置される。以下で詳説するように、安全ネットに張力が作用した状態下においても、鍵状係合片３５に安全ネット取付け部品６０の第二フック６３が係合していることにより、作用する張力によって安全ネット取付け部品６０を補助具４０から係脱させることなく、安全ネット取付け部品６０の第一フック６２を被係止部に係止させることが可能になる。
【００４２】
図３に示す養生シート取付け部品５０、図４に示す安全ネット取付け部品６０のいずれの仮設シート取付け部品であっても、補助具４０の有する載置部３０に仮設シート取付け部品を載置し、第一軸材１０の長さを所望に調整して建物躯体の一部や上階の床梁の一部などの高所にある被係止部に仮設シート取付け部品をアクセスさせることにより、脚立を使用することなく仮設シート取付け部品を被係止部に係止させることが可能になる。
【００４３】
［養生シート取付け部品を母屋に係止させる方法］
次に、図５乃至図９を参照して、養生シート取付け部品を母屋に係止させる方法の一例について説明する。ここで、図５乃至図９はその順に、養生シート取付け部品を母屋に係止させる方法を説明する工程図である。
【００４４】
図５に示すように、所望する長さに調整された第一軸材１０と、第一軸材１０に対して中心角度が１２０度等の所定角度θ１に調整された第二軸材２０と、を有する補助具４０の載置部３０の上方から、養生シート取付け部品５０を落とし込むようにしてＹ１方向に載置する。図示するように、載置される前の養生シート取付け部品５０は、第二フック５２に対して第一フック５１が完全に首折れしている。
【００４５】
図６に示すように、載置部３０に対して養生シート取付け部品５０を載置することにより、第二フック５２に対して第一フック５１が１５０度等の所定角度θ２に保持された状態となる。
【００４６】
図示例の被係止部は、軒桁の上方にある屋根の母屋である。図６に示すように、外壁８０の室内側にあるＨ形鋼により形成される軒桁７１に対して、溝形鋼により形成される母屋７２が接続されている。母屋７２は、屋根の葺き材７４を支持する垂木７３を下方から支持している。外壁８０は、各種のサイディングボードにより形成される外壁パネル８１、外張り断熱材８２、充填断熱材８３等を有する。
【００４７】
作業員（図示せず）は、バルコニー等の持出し部において、脚立を用いることなく、補助具４０を把持して外壁８０の上方から室内側にある母屋７２に養生シート取付け部品５０をアクセスさせる。
【００４８】
図７に示すように、第二フック５２に対して第一フック５１が所定角度θ２に保持されていることから、養生シート取付け部品５０を水平方向に室内側に挿入していくことにより、開口を室内側に向けた母屋７２の上フランジに対して、第一フック５１を開口を介して容易に入り込ませることできる。そして、第一フック５１の先端にある係止爪５１ｃを、母屋７２の上フランジ（被係止部）に対して容易に係止させることができる。
【００４９】
係止爪５１ｃが母屋７２の上フランジに係止された後、図８に示すように補助具４０を下方のＹ２方向に移動させることにより、載置部３０に載置されていただけの養生シート取付け部品５０から補助具４０を取り外すことができる。
【００５０】
養生シート取付け部品５０から補助具４０が取り外されると、図９に示すように、係止爪５１ｃが母屋７２の上フランジに係止されるとともに軸部５１ａの途中位置が母屋７２の上フランジとリップの隅角部に係止され、第二フック５２の係止爪５２ｃが外壁８０の表面に係止され、養生シートの敷設準備が完了する。すなわち、図９に続いて、係止爪５２ｃに対して養生シートに設けられている鳩目等が差し込まれることになる。
【００５１】
このように、補助具４０を適用することにより、脚立を使用することなく、仮設シート取付け部品の一例である養生シート取付け部品５０を高所にある母屋７２（被係止部）に係止させることができるため、高い施工安全性の下で仮設シート取付け部品を高所にある被係止部に取付けることが可能になる。
【００５２】
［安全ネット取付け部品を上階の床梁に係止させる方法］
次に、図１０乃至図１３を参照して、安全ネット取付け部品を上階の床梁に係止させる方法の一例について説明する。ここで、図１０乃至図１３はその順に、安全ネット取付け部品を上階の床梁に係止させる方法を説明する工程図である。
【００５３】
図１０に示すように、仮設シートが安全ネット９０の場合は、養生シートと異なり、予め安全ネット９０が取り付けられている安全ネット取付け部品６０を補助具４０に載置する。第二フック６３に安全ネット９０の端部が引っ掛けられた状態の安全ネット取付け部品６０を、補助具４０の載置部３０の上方からＹ３方向に落とし込むようにして載置する。
【００５４】
図１１に示すように、補助具４０の載置部３０に安全ネット取付け部品６０が載置された状態において、第二フック６３は鍵状係合片３５に係合されている。
【００５５】
第二フック６３が鍵状係合片３５に係合された状態で載置部３０に安全ネット取付け部品６０が載置されている補助具４０を、図１２に示すように、上階（２階、３階等）の梁組を形成するＨ形鋼からなる床梁７５の下方フランジにアクセスさせる。この際、作業員（図示せず）は、床梁７５の下方位置において、脚立を用いることなく、補助具４０を把持して安全ネット取付け部品６０をアクセスさせる。ここで、床梁７５の下方フランジに開設されているボルト孔（図示せず）が被係止部となる。
【００５６】
安全ネット９０を敷設する場合、既に安全ネット９０に取り付けられている複数の第一フック６２を順次ボルト孔等に引っ掛けていくことから、梁組を形成する各梁のボルト孔に第一フック６２を引っ掛けていく過程で徐々に安全ネット９０に張力Ｔが付与されることになる。図１２においても、この張力Ｔに抗するようにして補助具４０を床梁７５にアクセスさせ、第一フック６２を下方フランジのボルト孔に係止させる。この際、鍵状係合片３５に第二フック６３が係合していることにより、作用する張力Ｔによって安全ネット取付け部品６０を補助具４０から係脱させることなく、第一フック６２を被係止部に係止させることができる。
【００５７】
第一フック６２を被係止部に係止させた後、図１３に示すように、補助具４０を下方のＹ４方向に移動させることにより、載置部３０に載置されるとともに鍵状係合片３５に第二フック６３が係合していた安全ネット取付け部品６０から補助具４０を取り外すことができる。
【００５８】
このように、補助具４０を適用することにより、脚立を使用することなく、仮設シート取付け部品の一例である安全ネット取付け部品６０を高所にある床梁７５（被係止部）に係止させることができるため、高い施工安全性の下で仮設シート取付け部品を高所にある被係止部に取付けることが可能になる。
【００５９】
尚、上記実施形態に挙げた構成等に対し、その他の構成要素が組み合わされるなどした他の実施形態であってもよく、また、本発明はここで示した構成に何等限定されるものではない。この点に関しては、本発明の趣旨を逸脱しない範囲で変更することが可能であり、その応用形態に応じて適切に定めることができる。
【符号の説明】
【００６０】
１０：第一軸材、１１：柱状本体、１２：伸縮部、１３：取り付け片、１４：ジョイント、１５：グリップ、２０：第二軸材、２１：溝状本体、２２：フランジ、３０：載置部、３１：金属棒、３２：先端領域、３３：根元領域、３５：鍵状係合片、３８：固定手段、４０：仮設シート取付け部品用補助具（補助具）、５０：仮設シート取付け部品（養生シート取付け部品）、５１：第一フック、５１ａ：軸部、５１ｂ：折り曲げ回動部、５１ｃ：係止爪、５２：第二フック、５２ａ：軸部、５２ｂ：回動フック部、５２ｃ：係止爪、５３：回動部、６０：仮設シート取付け部品（安全ネット取付け部品）、６１：直線部、６２：第一フック、６３：第二フック、７１：軒桁、７２：母屋、７３：垂木、７４０：葺き材、７５：床梁、８０：外壁、８１：外壁パネル、８２：外張り断熱材、８３：充填断熱材、９０：安全ネット
【図１】
2020051098.tif 000003
【図２】
2020051098.tif 000004
【図３】
2020051098.tif 000005
【図４】
2020051098.tif 000006
【図５】
2020051098.tif 000007
【図６】
2020051098.tif 000008
【図７】
2020051098.tif 000009
【図８】
2020051098.tif 000010
【図９】
2020051098.tif 000011
【図１０】
2020051098.tif 000012
【図１１】
2020051098.tif 000013
【図１２】
2020051098.tif 000014
【図１３】
2020051098.tif 000015